(57)【要約】【課題】  電動モータに発生する電流値を抑制するとともに、それによる性能低下を最低限に抑えた電動モータの制御装置を提供する。【解決手段】  クラッチ機構３のアクチュエータであるクラッチ用電動モータ２１と、機械式自動変速機構５のアクチュエータであるギヤシフト用電動モータ３１への印加電圧を抑制する印加電圧制限手段６５を変速機ＥＣＵ内に備え、電動モータ２１および３１の回転速度と印加電圧制限比率の関係を示す印加電圧制限マップ６６を前もって作成して変速機ＥＣＵ内に持たせることにより、クラッチ操作、およびギヤシフト操作の際の電動モータ２１および３１の印加電圧を回転速度に応じて抑制する。回転速度が小さい範囲と、目標とする回転と逆転している場合に、抑制率を大きくする。【選択図】  図２
2005287202.tif 000002
【特許請求の範囲】
【請求項１】
電力源と、
前記電力源からの印加電圧を制御する制御手段と、
前記制御手段により制御された印加電圧により駆動される電動モータと、
前記電動モータにより駆動されるアクチュエータと、
前記電動モータの回転速度を取得する回転速度取得手段と、
前記回転速度取得手段により求めた前記回転速度に基づいて、前記制御手段が、前記電動モータに印加する印加電圧に制限を加える制限手段と、
を備えることを特徴とする電動モータの制御装置。
【請求項２】
前記制限手段は、前記電動モータの回転速度と許容印加電圧との関係について前もって定めた所定の印加電圧制限マップに基づき、印加電圧を制限することを特徴とする請求項１記載の電動モータの制御装置。
【請求項３】
前記印加電圧制限マップは、前記電動モータを正転させる場合、回転速度が０以下では印加電圧に所定の大きな制限を加え、回転速度０から所定の回転速度の範囲では、所定の、回転速度に反比例して減少する制限を加え、前記所定の回転速度以上の回転速度では、印加電圧に制限を加えないことを特徴とし、
前記電動モータを逆転させる場合、回転速度が０以上では印加電圧に所定の大きな制限を加え、回転速度０から所定の負の回転速度の範囲では、所定の、回転速度に反比例して減少する制限を加え、前記所定の負の回転速度以下の回転速度では、印加電圧に制限を加えないことを特徴とする請求項２記載の電動モータの制御装置。
【請求項４】
前記印加電圧制限マップは、回転速度０において、電動モータに発生する電流値を最大許容電流値以下に制限するために必要な印加電圧の抑制率を前記所定の大きな制限とし、また、正および負の最大印加電圧を印加し、最大許容電流が発生する電動モータの回転速度を、それぞれ、前記所定の回転速度、および、前記所定の負の回転速度とし、これら前記所定の大きな制限の抑制率、および、前記所定の回転速度、前記所定の負の回転速度を予め実験により求め、
さらに、回転速度０から前記所定の回転速度、および、回転速度０から前記所定の負の回転速度の範囲内の印加電圧抑制率を、前記所定の大きな制限の抑制率と抑制率０％の間で、回転速度の絶対値に反比例するように設定し、これを前記所定の回転速度に反比例して減少する制限とすることを特徴とする請求項３記載の電動モータの制御装置。
【請求項５】
前記アクチュエータは、自動変速機のギヤシフトユニットであることを特徴とする請求項１記載の電動モータの制御装置。
【請求項６】
前記アクチュエータは、自動クラッチのクラッチアクチュエータであることを特徴とする請求項1記載の電動モータの制御装置。
【請求項７】
前記回転速度取得手段は、電動モータの回転速度を、前記電動モータに設置したセンサにより検出、または、印加電圧から推定して求めることを特徴とする請求項１記載の電動モータの制御装置。
【発明の詳細な説明】
【技術分野】
【０００１】
本発明は、車両に搭載された機械式自動変速機を駆動する電動モータの制御装置に関する。
【背景技術】
【０００２】
近年、自動車の変速機として、マニュアル車と同様の変速ギヤ機構およびクラッチ機構にそれぞれアクチュエータを付設して自動変速を行えるようにした機械式自動変速機が開発、実用化され、主に、トラックやバス等の大型車を中心に適用されている。これらのアクチュエータとして、従来はエアシリンダを用いるのが一般的であったが、電動モータによるアクチュエータも提案されている。
【０００３】
電動モータをアクチュエータとして用いる場合、円滑なシフト操作を行うために電動モータの駆動力を制御することが望ましく、運転者による変速レバー操作の初期時点でシフト方向を検出して目標変速段を判定し、オーバーラン等の発生を防止する装置が提案されている（特許文献１参照）。
【特許文献１】特開２００１−３３０１４８号公報
【発明の開示】
【発明が解決しようとする課題】
【０００４】
特許文献１に開示された装置においては、目標変速段を変速レバー操作の初期時点で判断し、目標変速段にギヤインした場合のエンジンの回転速度を求め、その回転速度が許容範囲内にない場合には、電動モータを変速レバーのシフト動作方向とは逆方向に駆動することにより、オーバーランまたはアンダーランのない円滑なギヤチェンジを実現しようとするものである。
【０００５】
しかしながら、この装置においては、電動モータを駆動するために印加する電圧によって生じる過大な電流が装置に悪影響を及ぼすことについて考慮していない。すなわち、電動モータは、モータが低速回転、もしくは逆回転している状態で高い電圧を印加すると、高い電流値を発生し、これにより、電力源に負担がかかり電源電圧が降下したり、他の機器に悪影響を及したり、パワー回路や電動モータの負荷が過大になり、装置の故障につながるといった問題がある。
【０００６】
本発明は、このような問題を鑑みてなされたもので、その目的は、電動モータアクチュエータに発生する電流値を抑制するとともに、それによる性能低下を最低限に抑えた電動モータの制御装置を提供することである。
【課題を解決するための手段】
【０００７】
前述する課題を解決するための本発明は、電力源と、電力源からの印加電圧を制御する制御手段と、制御手段により制御された印加電圧により駆動される電動モータと、電動モータにより駆動されるアクチュエータと、電動モータの回転速度を取得する回転速度取得手段と、回転速度取得手段により求めた回転速度に基づいて、制御手段が、電動モータに印加する印加電圧に制限を加える制限手段と、を備えることを特徴とする電動モータの制御装置である。アクチュエータは、自動変速機のギヤシフトユニット、あるいは、自動クラッチのクラッチアクチュエータであることが望ましい。
【０００８】
制限手段は、電動モータの回転速度と許容印加電圧との関係について前もって定めた所定の印加電圧制限マップに基づき、印加電圧を制限する。この印加電圧制限マップは、電動モータを正転させる場合、回転速度が０以下では印加電圧に所定の大きな制限を加え、回転速度０から所定の回転速度の範囲では、所定の、回転速度に反比例して減少する制限を加え、前記所定の回転速度以上の回転速度では、印加電圧に制限を加えないように設定することが望ましい。
【０００９】
また、電動モータを逆転させる場合、回転速度が０以上では印加電圧に所定の大きな制限を加え、回転速度０から所定の負の回転速度の範囲では、所定の、回転速度に反比例して減少する制限を加え、前記所定の負の回転速度以下の回転速度では、印加電圧に制限を加えないように設定することが望ましい。
【００１０】
印加電圧制限マップにおける所定の大きな制限、および、所定の回転速度、所定の負の回転速度は、予め実験により求める。すなわち、回転速度０において、電動モータに発生する電流値を最大許容電流値以下に制限するために必要な印加電圧の抑制率を所定の大きな制限とするとよい。また、正および負の最大印加電圧を印加し、最大許容電流が発生する電動モータの回転速度を、それぞれ、所定の回転速度、および、所定の負の回転速度とする。
【００１１】
さらに、回転速度０から所定の回転速度、および、回転速度０から所定の負の回転速度の範囲内の印加電圧抑制率を、所定の大きな制限の抑制率と抑制率０％の間で、回転速度の絶対値に反比例するように設定し、これを所定の回転速度に反比例して減少する制限とする。
【００１２】
このような印加電圧制限マップに基づいて電動モータに駆動電圧を印加することにより、モータの回転速度が低い範囲にある場合には、回転速度に反比例する抑制率で抑制された電圧が印加され、発生する電流値が過大になることを防ぐことができる。また、モータの回転速度が低い範囲にない場合には、印加電圧に抑制がかけられず、アクチュエータの性能低下をまねくことがない。逆転しているモータを正転に転じる場合には、大きな抑制を印加電圧にかけ、過大な電流値の発生を防ぐとともに、正転に転じるよう駆動することが可能である。
【００１３】
また、印加電圧制限マップを、逆転する電動モータの印加電圧制限に用いることにより、モータの回転速度が負の小さな範囲にある場合には、回転速度の絶対値に反比例した抑制率で抑制された電圧が印加され、発生する電流値が過大になることを防ぐことができる。また、モータの負の回転速度がある程度以上に大きい場合は、印加電圧に抑制がかけられず、アクチュエータの性能低下をまねくことがない。正転しているモータを逆転に転じる場合には、大きな抑制を印加電圧にかけ、過大な電流値の発生を防ぐとともに、逆転に転じるよう駆動することが可能である。
【００１４】
回転速度取得手段は、電動モータの回転速度を、電動モータに設置したセンサにより検出してもよいし、または、印加電圧から推定して求めてもよい。電動モータに設置したセンサで計測した回転速度、あるいは印加電圧から推定した回転速度を基に、電動モータに印加する電圧の抑制率を印加電圧制限マップから求め、電動モータに印加して駆動する。
【発明の効果】
【００１５】
本発明の電動モータアクチュエータ装置により、電動モータに過大な高電流を発生させず、電力源への負担が軽減され、電源電圧の降下の問題が解消される。また、パワー回路の負荷が低減されるため、電気的負荷容量の小さな機器を使用できるようになり、コストを抑えることが可能になる。さらに、電動モータの電気的負荷が軽減されることで、モータ寿命の延長も可能になる。
【００１６】
また、本発明の電動モータアクチュエータにより、電動モータへの過大な高電流の抑制を、前もって定めたマップに基づいて行えるので、複雑な演算を必要とせず、レスポンスの低下を招くことがない。
【００１７】
また、本発明の電動モータアクチュエータにより、回転速度が０以下では印加電圧に大きな制限を加え、回転速度０から所定の回転速度までは回転速度が小さくなるほど印加電圧に加える制限を大きくし、回転速度が所定回転速度以上の場合には、印加電圧に制限を加えないことで、高電圧値の印加時に高電流値が流れる恐れがある低回転時には印加電圧の抑制ができると共に、印加電圧を抑制する回転速度域から印加電圧の抑制を行わない回転速度域への切り換え時に滑らかに印加電圧が変化するため、切り換えショックが発生することもなく、ドライバビリティの低下を招くことがない。
【発明を実施するための最良の形態】
【００１８】
以下、図面に基づいて本発明の形態を詳細に説明する。図１は、本発明の実施の形態にかかる機械式自動変速機の構成を示す構成図、図２は、電動モータへの印加電圧制御の概念を示す図、図３は、印加電圧制限マップの生成処理の流れを示すフローチャート、図４は、印加電圧制限マップを示す図である。
【００１９】
まず、本発明の形態に係る電動モータが適用されるクラッチ機構および機械式自動変速機について、図１に沿って説明する。エンジン１は、摩擦クラッチを有するクラッチ機構３と、そのクラッチ機構３を介してエンジン１の出力部に接続された機械式自動変速機構５を備える。クラッチ機構３には、クラッチ用アクチュエータとしてクラッチ用電動モータ（ＣＣＵ）２１が接続され、このクラッチ用電動モータ２１が作動することによりクラッチ３が断接される。
【００２０】
また、機械式自動変速機構３は、ギヤシフト用電動モータ（ＧＳＵ）３１によって駆動され、変速操作が行われる。このギヤシフト用電動モータ３１は、機械式自動変速機構３内にあるセレクト方向およびシフト方向の各ギヤシフト部材を駆動するための２組の電動モータからなる。変速時には、ギヤシフト用電動モータ３１によってギヤシフト部材を駆動して、機械式自動変速機構３の噛合状態を切り替えることにより、変速段を所望の状態にシフトする。
【００２１】
エンジン１は、エンジン電子コントロールユニット（エンジンＥＣＵ）４３が出力するエンジン制御信号１４１により制御される。エンジンＥＣＵ４３は、制御プログラムに従って演算処理を実行する中央処理装置（ＣＰＵ）４３１、制御プログラム等を格納するリードオンリーメモリ（ＲＯＭ）４３５、演算結果等を格納するランダムアクセスメモリ（ＲＡＭ）４３３、入出力インタフェース４３７、タイマ４３９等を有し、エンジン制御信号１４１や、エキゾーストブレーキ（エキブレ系）５３を駆動するためのエキブレ駆動信号１４３を生成する。
【００２２】
エンジンＥＣＵ４３に入力される信号は、機械式自動変速機構５の出力側に備えられた車速センサ信号をパルスデバイダ４９によりカウントして得られる車速信号１３５、エンジン１の回転数信号１３７、アクセルペダル９に取り付けられたアクセル踏込み量センサによるアクセル開度信号１１７、ニュートラル状態にあることを示す信号Ｎ位置信号１３９等であり、入出力インタフェース４３７を介して入力される。
【００２３】
また、クラッチ用電動モータ２１およびギヤシフト用電動モータ３１は、変速機電子コントロールユニット（変速機ＥＣＵ）４１の制御信号を介して駆動される。変速機ＥＣＵ４１も、エンジンＥＣＵ４３と同様に、制御プログラムに従って演算処理を実行する中央処理装置（ＣＰＵ）４１１、制御プログラムや、後述する印加電圧制限マップ等を格納するリードオンリーメモリ（ＲＯＭ）４１５、演算結果等を格納するランダムアクセスメモリ（ＲＡＭ）４１３、入出力インタフェース４１７、タイマ４１９等を有する。
【００２４】
入出力インタフェース４１７を介して、チェンジレバーユニット１３の操作信号であるチェンジレバーユニット信号１１３、パーキングブレーキ１１が引かれるとＯＮとなりパーキングブレーキの作動を伝えるパーキングブレーキ操作信号１１５、アクセルペダル９に取り付けられたアクセル踏込み量センサによるアクセル開度信号１１７、ブレーキペダル７が踏込まれるとＯＮになりブレーキの作動を伝えるブレーキペダル操作信号１１９、クラッチ用電動モータ２１が出力するクラッチストローク信号１２１、ギヤシフト用電動モータ３１が出力するシフト・セレクトストローク信号１２３、クラッチ機構３の出力側回転数であるクラッチ回転数信号１２５、クラッチ機構３で検出されるクラッチ磨耗・ストローク信号１２７、機械式自動変速機構５の出力側に備えられた車速センサ信号をパルスデバイダ４９によりカウントして得られる車速信号１２９、エンジン１の回転数信号１３１等が変速機ＥＣＵ４１に入力される。
【００２５】
そして、変速機ＥＣＵ４１が、これらの入力信号や、後述する印加電圧制限マップを基に処理することにより、クラッチ用電動モータ２１およびギヤシフト用電動モータ３１を駆動するための駆動信号（それぞれ、ＣＣＵモータ駆動信号１０３およびＧＳＵモータ駆動信号１０５）、電源信号１０１を入出力インタフェース４１７を介して出力する。また、変速機ＥＣＵ４１は、機械式自動変速機構５のギヤ位置を示すギヤ位置信号１１１をインジケータ１５に出力する。
【００２６】
変速機ＥＣＵ４１が出力したＣＣＵモータ駆動信号１０３およびＧＳＵモータ駆動信号１０５、電源信号１０１は、パワー回路であるドライブユニット４５に入力される。ドライブユニット４５はバッテリ４７に接続されており、前述のＣＣＵモータ駆動信号１０３に従ってクラッチ用電動モータ２１に電圧を印加し、ＧＳＵモータ駆動信号１０５に従ってギヤシフト用電動モータ３１に電圧を印加する。
【００２７】
変速機ＥＣＵ４１は、運転者がチェンジレバーユニット１３のレバーをドライブ“Ｄ”に入れている状態では、入力される車両の種々の走行状態（例えば、車速やエンジン負荷）を示す信号を基に、最適変速段へ変速段切り替えを行うよう、クラッチ用電動モータ２１およびギヤシフト用電動モータ３１を制御する（自動シフトモード）。一方、運転者が手動操作で変速段のシフト指令を行うことも可能で、運転者がチェンジレバーユニット１３のレバーを“＋”あるいは“−”に入れると、現在の変速段を１段上げる、あるいは１段下げるためのチェンジレバー操作信号１１３が変速機ＥＣＵ４１に入力され、この信号に基づいてクラッチ用電動モータ２１およびギヤシフト用電動モータ３１を制御する（手動シフトモード）。
【００２８】
すなわち、変速機ＥＣＵ４１は、自動シフトモードの場合、車速やエンジン負荷などの走行状態の情報を基に、変速段の切り替えの必要性を判断し、これに伴い、クラッチ切断−ギヤシフト−クラッチ接合の制御を行い、手動シフトモードが選択された場合には、運転者のシフト指令に基づき、クラッチ切断−ギヤシフト−クラッチ接合の制御を行う。
【００２９】
次に、変速機ＥＣＵ４１によるクラッチ用電動モータ２１およびギヤシフト用電動モータ３１の制御装置および制御方法について説明する。クラッチ用電動モータ２１およびギヤシフト用電動モータ３１の制御は、変速ＥＣＵ４１において、各々別に行われるが、両制御方法は同様であり、説明においては、クラッチ用電動モータ２１とギヤシフト用電動モータ３１の制御方法を区別せずに説明する。
【００３０】
図２に示すように、変速機ＥＣＵ４１の出力（印加電圧指示７５）はパワー回路（ドライブユニット）４５に入力され、パワー回路４５に接続されている電力源（バッテリ４７）により、クラッチ用電動モータ２１あるいはギヤシフト用電動モータ３１を駆動する電圧を印加する。クラッチ用電動モータ２１の場合は、図１のＣＣＵモータ駆動信号１０３が、ギヤシフト用電動モータ３１の場合は、図１のＧＳＵモータ駆動信号１０５が、印加電圧指示７５としてパワー回路４５に入力される。
【００３１】
変速機ＥＣＵ４１のＣＰＵ４１１は、入出力インタフェース４１７を介して入力される種々の信号を基に、ＲＯＭ４１５に格納されている制御プログラムに従って、各電動モータ（２１、３１）を駆動するための印加電圧指示７５を算出する。この制御プログラムでは、まず、制御目標設定手段６１において、入力される各種信号を判断、処理し、制御目標６９を生成する。そして、次に、電動モータ（２１、３１）の現在の状態を示す情報であるアクチュエータ位置情報７１と制御目標６９の差分を入力として公知のＰＩＤ制御則６３によるＰＩＤ制御を行う。そして、その出力に対して、印加電圧制限手段６５により、回転速度取得手段６７により得た電動モータ（２１、３１）の回転速度７３に基づいて印加電圧の制限処理を行う。このとき、電動モータ（２１、３１）の回転速度７３が０に近い場合、および制御目標の回転とは逆回転をしている場合には、後述する印加電圧制限マップ６６に基づき、印加電圧に制限を加える。
【００３２】
クラッチ用電動モータ２１の印加電圧制御の場合、制御目標設定手段６１は、クラッチストロークの目標値を制御目標６９として設定し、出力する。一方、クラッチ用電動モータ２１からは、アクチュエータ位置情報７１として入出力インタフェース４１７を介してクラッチストローク信号１２１が入力される。この実クラッチストローク値が制御目標値６９に近づくように、ＰＩＤ制御則６３によるＰＩＤ制御をまず行う。ＰＩＤ制御では、制御目標値に収斂していく初期段階で制御目標値を上回る大きな電圧が印加される。これを抑えるために、次に、印加電圧制限手段６５を実行する。すなわち、大きな印加電圧が高電流等の悪影響を及ぼすクラッチ用電動モータ２１の回転速度が小さい領域、および、目標値とは逆の回転をしている領域において、後述の印加電圧制限マップ６６に基づいた印加電圧の制限を行う。
【００３３】
一方、ギヤシフト用電動モータ３１の印加電圧制御の場合、制御目標設定手段６１は、シフト方向およびセレクト方向のストローク値を制御目標値６９として設定し出力する。一方、ギヤシフト用電動モータ３１からは、アクチュエータ位置情報７１として、実際のシフト方向およびセレクト方向のストローク信号１２３が入出力インタフェース４１７を介して入力される。この実ストローク値が制御目標値６９に近づくように、まず、ＰＩＤ制御則６３によるＰＩＤ制御を行い、それに基づく印加電圧値を求めＰＩＤ制御値６４として出力する。そして、この出力に対して印加電圧制限手段６５を実行する。すなわち、大きな印加電圧が高電流等の悪影響を及ぼすギヤシフト用電動モータ３１の回転速度が小さい領域、および、目標値とは逆の回転をしている領域において、後述の印加電圧制限マップ６６に基づいた印加電圧の制限を行う。実際には、ギヤシフト用電動モータ３１は、シフト方向用とセレクト方向用の２つの電動モータを備えており、それぞれの電動モータの印加電圧制御が変速機ＥＣＵ４１により行われることになる。
【００３４】
印加電圧制限手段６５は、回転速度取得手段６７により得られるクラッチ用電動モータ２１あるいはギヤシフト用電動モータ３１の回転速度に基づいて印加電圧の制限処理を行う。回転速度取得手段６７は、例えば、クラッチ用電動モータ２１やギヤシフト用電動モータ３１に取り付けた回転速度センサにより、各電動モータの回転速度を検出したり、演算により各電動モータの回転速度を推定して求める。
【００３５】
次に、印加電圧制限手段６５で用いる印加電圧制限マップ６６について説明する。前述したように、印加電圧制限手段６５では、電動モータ（２１、３１）の回転速度が小さい領域、および、目標値とは逆回転をしている領域において印加電圧を制限するために、前もって実験により定めた印加電圧制限マップ６６を用いる。印加電圧制限マップ６６は、電動モータの回転速度と、ＰＩＤ制御則６３により求めた印加電圧（ＰＩＤ制御値６４）にかける制限比率の関係を示すものである。印加電圧制限マップ６６は、電動モータの種類により異なる。
【００３６】
印加電圧制限マップ６６は、図３に示すような処理の流れに従い決定される。すなわち、まず、電動モータ（２１、３１）に印加する最大電圧Ｖmaxと、許容最大電流Ｉmaxを決定する（ステップ６０１）。最大電圧Ｖmaxおよび許容最大電流Ｉmaxは、電動モータ（２１、３１）の定格等により定める値であり、例えば、最大電圧Ｖmax=２４Ｖ、許容最大電流Ｉmax=４０Ａ等に定める。
【００３７】
次に、電動モータ（２１、３１）の回転速度を０にした状態で、電流値が許容最大電流Ｉmaxに抑まる印加電圧Ｖ１を測定し、最大電圧Ｖmaxとの比Ｖ１/Ｖmaxを求め、印加電圧比ａ（％）＝Ｖ１/Ｖmax×100とする（ステップ６０２）。また、次に、最大電圧Ｖmaxを印加し、正転を与えた場合に、許容最大電流Ｉmaxが発生する回転速度ｂ１を測定し（ステップ６０３）、最大電圧Ｖmaxを印加し、逆転を与えた場合に、許容最大電流Ｉmaxが発生する回転速度ｂ２を測定する（ステップ６０４）。
【００３８】
以上の測定結果から、電流モータ（２１、３１）の回転速度Ｂと印加電圧比Ａの関係を示す印加電圧制限マップ６６を作成する（ステップ６０５）。すなわち、正転を与える場合は、回転速度Ｂ≦０の範囲では、印加電圧比Ａ＝ａとし、電動モータ（２１、３１）にかける印加電圧をＰＩＤ制御値６４のａ(％)とし、回転速度Ｂ≧ｂ１の範囲では、印加電圧比Ａ＝100(％)とし、ＰＩＤ制御値６４の電圧をそのまま印加する。そして、回転速度Ｂが０＜Ｂ＜ｂ１の範囲では、印加電圧比ＡをＡ＝ａ(％)（回転速度Ｂ＝０のとき）、Ａ＝100(％)（回転速度Ｂ＝ｂ１のとき）の間で回転速度Ｂに比例するように設定する。一方、逆転を与える場合は、回転速度Ｂ≧０において、印加電圧比Ａ＝ａ（％）とし、回転速度Ｂ≦ｂ２のとき印加電圧比Ａ＝100（％）とし、回転速度Ｂがｂ２＜Ｂ＜０の範囲では、印加電圧比ＡをＡ＝100(％)（回転速度Ｂ＝ｂ２のとき）とＡ＝ａ(％)（回転速度Ｂ＝０のとき）の間で回転速度Ｂに比例するように設定する。以上のように、各電動モータ（２１、３１）についてａ、ｂ１、ｂ２を測定することにより、印加電圧比Ａを求め、これを印加電圧制限マップ６６とする。
【００３９】
各電動モータ（２１、３１）について作成された印加電圧制限マップ６６は、変速機ＥＣＵ４１のＲＯＭ４１５に格納され、印加電圧制限手段６５がこれを参照して、各電動モータ（２１、３１）に印加する電圧が決定される。図４に示した印加電圧制限マップ６６では、例として、印加電圧比ａ＝50％としている。上側のマップが電動モータ（２１、３１）を正転させる場合の印加電圧制限マップ８１、下側のマップが逆転させる場合の印加電圧制限マップ８３である。
【００４０】
次に、クラッチ用電動モータ２１の場合を例として、印加電圧制限マップ６６を使用した印加電圧制限の作用を説明する。クラッチ機構３のクラッチが既に長く接続されている状態から切断状態に移行させる場合、クラッチ用電動モータ２１の回転速度は０か０に近い状態にあると考えられる。このとき、クラッチを切断するためには、クラッチストロークを正の方向に増加させる必要があり、電動モータ２１を正転させる正転の印加電圧制限マップ８１を使用して印加電圧を制限する。印加電圧制限手段６５は、このときのクラッチ用電動モータ２１の回転速度Ｂを回転速度取得手段６７により求め、印加電圧制限マップ８１の回転速度Ｂの値を参照する。回転速度Ｂの値によりマップの印加電圧比Ａを参照し、ＰＩＤ制御値６４の電圧値Ｖが、例えば最大電圧２４Ｖに印加電圧比Ａを乗じた電圧値が上限となるように電動モータ２１に印加するよう印加電圧指示７５を出力する。これにより、印加電圧が制限されるので、過大な電流が生じることはない。
【００４１】
さらに、このような印加電圧制限によりクラッチ用電動モータ２１に電圧を印加し続けると、回転速度Ｂが徐々に上昇し、印加電圧も徐々に増加する（矢印Ｉ）。そして、回転速度Ｂ≧ｂ１になると、印加電圧が100（％）となり、ＰＩＤ制御値６４の電圧値Ｖをそのままクラッチ用電動モータ２１にかけることが可能になる。
【００４２】
また、クラッチが接続されようとしている時点に、再びクラッチを切断するような場合には、逆転している電動モータ２１を正転に転じてクラッチストロークを増加させる必要があり、正転の印加電圧制限マップ８１を使用して印加電圧を制御する。このとき、回転速度取得手段６７により求められる回転速度ＢはＢ＜０と考えられ、印加電圧制限マップ８１を参照し、印加電圧比Ａをａ（＝50％）とする。本実施の形態による印加電圧制限マップ８１においては、Ｂ＜０ではＡ=ａ(50％)で一定に設定されている。電動モータの逆転により高い電流が発生することが考えられるが、電動モータ２１を逆転から正転に転じるよう駆動するためにある程度の駆動力が必要である。そのために、Ｂ＜０では大きな印加電圧制限値であるＡ＝ａ(50％)に設定し、発生する電流値を許容の範囲に小さく押さえることを可能にしている。印加電圧制限マップ８１を参照して印加電圧比Ａを求め、ＰＩＤ制御値６４の電圧値Ｖが、例えば、最大電圧２４Ｖに印加電圧比Ａを乗じた電圧値が上限となるように電動モータ２１に印加する。またこのような制限した印加電圧を加え続けることにより、電動モータ２１の回転速度は矢印Ｉ方向に徐々に移動し、正転に転じ、印加電圧率Ａを徐々に増大させ、Ｂ≧ｂ１になれば印加電圧を100％として、制限を解除する。
【００４３】
次に、切断しているクラッチを接続する場合について説明する。クラッチを接続する場合はクラッチストロークを減少させることになり、電動モータ２１には負の電圧を印加する。よって、印加電圧制限手段６５は逆転の印加電圧制限マップ８３を参照して、電動モータ２１の印加電圧を制限する。通常、クラッチは、ギヤのシフト前に切られ、ギヤシフトの完了とともに接続されるので、クラッチが接続される時点では、クラッチ用電動モータ２１の回転速度は０か０に近い正転と考えられる。またクラッチを切り始めたところで再び接続する場合、その時点では、クラッチ用電動モータ２１は正転している。印加電圧制限手段６５は逆転の印加電圧制限マップ８３を参照し、その時点の回転速度Ｂにおける印加電圧比Ａによって印電動モータ２１の印加電圧を制限する。すなわち、正転している場合には、Ａ＝ａ（=50％）の印加電圧比をＰＩＤ制御値６４の電圧値Ｖに乗じた電圧を電動モータ２１に印加する。これにより、印加電圧が制限されるので、過大な電流が生じることはない
【００４４】
さらに、このような印加電圧制限によりクラッチ用電動モータ２１に電圧を印加し続けると、回転速度Ｂは矢印Ｊの方向に移動する。そして、回転速度が逆転に転じ、回転速度Ｂ＜０になると、印加電圧比Ａを徐々に増加させ、Ｂ≦ｂ２では印加電圧比Ａ＝100（％）となり、ＰＩＤ制御値６４の電圧値Ｖをそのままクラッチ用電動モータ２１にかけることが可能になる。
【００４５】
以上の説明ではクラッチ用電動モータ２１について一般的な場合を例に説明したが、クラッチ操作のその他の場合においても、同様に、正転の印加電圧制限マップ８１または逆転の印加電圧制限マップ８３を参照して、その時点ごとの電動モータ２１の回転速度に即した印加電圧制限を行うことが可能である。また、ギヤシフト用電動モータ３１の場合もクラッチ用電動モータ２１の場合と同様に、印加電圧制限マップ６６を使用して電動モータ３１の印加電圧を制限することが可能である。
【００４６】
以上に説明したように、前もって作成し変速機ＥＣＵ４１のＲＯＭ４１５に格納された印加電圧制限マップ６６を印加電圧制限手段６５が参照し、その時点ごとに回転速度取得手段６７により得られる電動モータ（２１、３１）の回転速度に基づいた印加電圧制限を行うことにより、電動モータ（２１、３１）における過大な電流の発生を抑制することが可能になる。また、電動モータ（２１、３１）に印加する電圧を制限することで、クラッチ機構３および機械式自動変速機構５の追従性等の性能低下も考えうるが、印加電圧に制限を与える範囲を目標値とは逆の回転をしている場合と、回転速度が０に近い範囲に限っているので、性能低下は最小限に抑えられ、車両性能に及ぼす影響は無視可能な範囲である。
【００４７】
尚、本発明は、前述した実施の形態に限定されるものではなく、種々の改変が可能であり、それらも、本発明の技術範囲に含まれる。例えば、本実施の形態では、印加電圧制限マップ６６における許容最大電流量Ｉmaxの値を例として４０Ａとしたが、この値は、電動モータの定格や目標性能等に応じて変えることが可能である。また、図４においては、回転速度０において許容最大電流量Ｉmaxに抑えるための印加電圧比ａの例が50％であったが、この値ａも種々に変えることが可能である。
【産業上の利用可能性】
【００４８】
本発明の電動モータの制御装置により、電動モータに発生する電流が抑制され、それにより、電動モータ、電力源、その他の機器に過剰な負荷をかけることがなくなり、電動モータの寿命が延びるとともに、性能の良い車両を提供することが可能になる。
【図面の簡単な説明】
【００４９】
【図１】本発明の実施の形態にかかる機械式自動変速機の構成を示す構成図
【図２】電動モータへの印加電圧制御の概念を示す図
【図３】印加電圧制限マップ６６の生成処理の流れを示すフローチャート
【図４】印加電圧制限マップ６６を示す図
【符号の説明】
【００５０】
１………エンジン
３………クラッチ機構
５………機械式自動変速機構
２１………クラッチ用電動モータ
３１………ギヤシフト用電動モータ
４１………変速機ＥＣＵ
４３………エンジンＥＣＵ
４５………ドライブユニット（パワー回路）
４７………バッテリ（電力源）
６５………印加電圧制限手段
６６………印加電圧制限マップ
【図１】
2005287202.tif 000003
【図２】
2005287202.tif 000004
【図３】
2005287202.tif 000005
【図４】
2005287202.tif 000006